(57)【要約】      （修正有）【課題】ＬＥＤ照明具におけるＬＥＤからの放熱が効率良く行われるようにし、ＬＥＤ照明具を長く安定して使用できるＬＥＤ反射体を提供する。【解決手段】アルミニウム製で、底部にＬＥＤの配置開口１０が設けられた反射凹面８が複数個設けられた平面部２と、平面部２に連続一体でＬＥＤ１４が搭載される回路基板に接触配置される接触部６とを備えてＬＥＤ用反射体を構成する。【選択図】図１
0003150619.tif 000002
【実用新案登録請求の範囲】
【請求項１】
アルミニウム製で、
底部にＬＥＤの配置開口が設けられた反射凹面が複数個設けられた平面部と、
前記平面部に連続一体で、前記ＬＥＤが搭載される回路基板に接触配置される接触部と、
を備えることを特徴とするＬＥＤ用反射体。
【請求項２】
前記接触部が、ＬＥＤ照明具外装体への取り付け部に兼用される請求項１記載のＬＥＤ用反射体。
【考案の詳細な説明】
【技術分野】
【０００１】  この考案は、ＬＥＤ照明具に用いられるＬＥＤ用反射体に関する。
【背景技術】
【０００２】  最近、ＬＥＤを使用する照明具が汎用されている。この照明具は、複数個のＬＥＤが集合搭載された回路基板がケーシング内に納められて構成され、集光性を高くする場合にはＬＥＤそれぞれに対応するように反射体が配置されている。
【考案の開示】
【考案が解決しようとする課題】
【０００３】  通常ＬＥＤの発光量を大きくするにはＬＥＤに多量の電流を流すこととなり、その際にはＬＥＤが発熱する。とくに上記の照明具のように複数個のＬＥＤを集合配置する場合にはＬＥＤそれぞれからの放熱が十分になされず高熱となり、これはＬＥＤの短寿命化の原因となる。【０００４】  この考案は上記問題点に鑑みて行ったもので、ＬＥＤ照明具におけるＬＥＤからの放熱が効率良く行われるようにし、ＬＥＤ照明具を長く安定して使用できるようにするものである。
【課題を解決するための手段】
【０００５】  この考案では、アルミニウム製で、底部にＬＥＤの配置開口が設けられた反射凹面が複数個設けられた平面部と、前記平面部に連続一体で前記ＬＥＤが搭載される回路基板に接触配置される接触部とを備えることを特徴とするＬＥＤ用反射体を提供する。【０００６】  この考案の構成のＬＥＤ用反射体によれば、ＬＥＤ点灯により発生した熱が、回路基板、それに接触する接触部を介してＬＥＤ用反射体に伝達され、ＬＥＤ用反射体の全面において放熱される。これによりＬＥＤに熱が溜まることが回避されてＬＥＤが過度に高温となることが回避される。ＬＥＤ用反射体がアルミニウム製であって熱伝達性に優れることで回路基板からの熱伝達が効率良くなされ、これにより放熱効果がより高められる。また、ＬＥＤ用反射体が複数の反射凹面を備え複数のＬＥＤに対して一個のＬＥＤ用反射が使用されるので、部品数が少なくてすみ、かつ、組み立ても容易になされる。【０００７】  ＬＥＤ用反射体はそれが使用される照明具の形態に対応して適宜の形態として提供される。その接触部はＬＥＤの熱をＬＥＤ用反射体に伝達するためにはより長い距離において、かつ、広い面積で回路基板に接触するように設けられることが望ましいが、その形態は連続、不連続等適宜形態とされればよい。接触部がＬＥＤ照明具外装体への取り付け部に兼用されることで、照明具の構成が簡易となって、その組み立て性が向上する。
【考案の効果】
【０００８】  この考案のＬＥＤ用反射体を使用することで、ＬＥＤ照明具におけるＬＥＤからの放熱が効率良く行われるようになり、これにより、長期間明るく安定して照明機能を発揮するＬＥＤ照明具を提供できるようになる。また、複数の反射凹面を持つＬＥＤ用反射体を使用することで、ＬＥＤそれぞれに対して別個に反射体を取り付けなくてもよいので、照明具の構成が簡易となって組み立て性も向上する。
【考案を実施するための形態】
【０００９】  図１はこの考案のＬＥＤ用反射体の外観斜視図である。ＬＥＤ用反射体１は全体がアルミニウム製で、細巾に延びる平面部２と、平面部２の長手方向における両側縁から下方に延び出す一対の垂直部４と、垂直部４それぞれの下縁より外方水平に延び出す一対の接触縁部（接触部）６とからなる。平面部４にはその長手方向に沿って６個の内面が鏡面となった反射凹面８が設けられている。反射凹面８それぞれはプレス加工により形成され、平面形状が円形で底部に円形のＬＥＤの配置開口１０が設けられている。
【００１０】  図２は上記ＬＥＤ用反射体１を使用するＬＥＤ照明具２０の外観斜視図、図３はその断面構成図である。ＬＥＤ用反射体１は同巾の回路基板１２上に載置される状態でアルミニウム製のケーシング２１（ＬＥＤ照明具外装体）内に納められている。回路基板１２上には長手方向に沿って６個のＬＥＤ１４が搭載されており、それらＬＥＤ１４がＬＥＤ用反射体１の反射凹面８それぞれの底部の配置開口１０それぞれの中に位置するように位置合わせされ、回路基板１２の両側縁部１３とＬＥＤ用反射体１の両接触縁部６とが熱伝達性に優れるとともに耐熱性である粘着性樹脂シール材３０を介して重ね合わされ一体とされるとともに、かつ、粘着性樹脂シール材３０を介してケーシング２１の取り付け溝２３内に嵌入されて取り付けられている。このように、接触縁部６はケーシング２１への取り付け部に兼用されている。ケーシング２１の上面開口には透光カバー２４が取り付けられ、側面には放熱孔２６が設けられ、底面は開放されている。
【００１１】  上記ＬＥＤ照明具２０はＬＥＤ１４それぞれが点灯されるとその照明光が反射凹面８で集光反射されて透光カバー２４側に送り出され、これにより照明機能を発揮する。その際ＬＥＤ１４それぞれが熱を発するが、回路基板１２の側縁部１３がＬＥＤ用反射体１の両接触縁部６に重ね合わせ状態に接触しているとともにケーシング２１に接触していることで、熱がその接触部分においてＬＥＤ用反射体１、ケーシング２１に伝達され、それぞれにおいて放熱される。その際、ＬＥＤ用反射体１、ケーシング２１がともにアルミニウム製であることでそれぞれへの熱伝達が良好になされるとともに、それぞれの接触が粘着性樹脂シール材３０を介して密着してなされていることで、これによっても熱伝達が良好になされる。このようにＬＥＤ１４それぞれにおける発生熱がＬＥＤ用反射体１、ケーシング２１により効率良く放熱されることで、ＬＥＤ１４の過度の温度上昇が回避される。
【００１２】  図４はＬＥＤ用反射体１の他の実施形態を示す外観斜視図である。この実施形態のＬＥＤ用反射体１は平面形状が円形で平面部２に３個の反射凹面８を備えており、接触縁部６は湾曲する垂直部４に沿って放熱開口２８を残すように設けられている。このＬＥＤ用反射体１は照明面を円形とするＬＥＤ照明具に組み込まれて使用される。
【図面の簡単な説明】
【００１３】
【図１】  この考案のＬＥＤ用反射体の実施形態の外観斜視図
【図２】  この考案のＬＥＤ用反射体を使用する照明具の外観斜視図
【図３】  図２に示すものの断面構成図
【図４】  この考案のＬＥＤ用反射体の他の実施形態の外観斜視図
【符号の説明】
【００１４】１    ＬＥＤ用反射体
２    平面部
６    接触縁部（接触部）
８    反射凹面
１０  配置開口
１２  回路基板
１４  ＬＥＤ
２１  ケーシング（ＬＥＤ照明具外装体）
【図１】
0003150619.tif 000003
【図２】
0003150619.tif 000004
【図３】
0003150619.tif 000005
【図４】
0003150619.tif 000006